(57)【特許請求の範囲】
【請求項１】
景品（Ａ〜Ｆ）を載せるトレイ（２１，２１）が略鉛直な平面内に上下左右方向に多数配列され、各トレイは景品払出し時にその前側が低くなるよう傾動可能なように取り付けられたトレイ配列架台（２２）と、
トレイ配列架台（２２）の背後に上下左右前後方向に移動可能なよう設けられ、景品払出し時には、払い出すべき景品を載せた特定のトレイの背後から前方へ進出して当該トレイの後部を押し上げることによりトレイの前側が低くなるようトレイを傾動せしめるトレイ押圧子（２３）と、
を備えたことを特徴とする景品払出し装置（２）。
【請求項２】
トレイ押圧子（２３）を上下左右前後方向に移動させる装置が、
左右方向へ掛け渡された第１ロッド（２４）と、
当該第１ロッドを上下方向へ平行移動せしめる機構（２５ａ，２５ｂ）と、
第１ロッド上で左右方向へ移動するスライドユニット（２６）と、
当該スライドユニット（２６）に前後方向へ向けて取り付けられ、かつ、前後方向へ移動せしめられる第２ロッド（２７）と、
上記スライドユニット（２６）上に備えられ、スライドユニットを第１ロッド上で左右方向へ移動せしめる駆動機構、及び、第２ロッドを前後方向へ移動せしめる駆動機構と、から構成され、
トレイ押圧子（２３）が第２ロッド（２７）の前端に取り付けられたことを特徴とする請求項１に記載の景品払出し装置。
【請求項３】
トレイ押圧子（２３）が、景品払出し後に、前側に傾いたトレイ（２１）の後部を下方向へ押してトレイを元の状態へ復帰させるトレイ復元爪（２８）と、その駆動機構を備えたことを特徴とする請求項１又は２に記載の景品払出し装置。
【発明の詳細な説明】
【０００１】
【発明の属する技術分野】
本発明は、ゲーム機に備えられる景品払出し装置に関する。
【０００２】
【従来の技術】
従来の景品払出し装置においては、景品に対してそれぞれ個々に払出し機構が設けてあり、設計コスト的に高価になるという問題点があった。
【０００３】
【発明が解決しようとする課題】
本発明は、上記問題点を解決するためなされたものであり、その目的とするところは、設計コストが安くて済むゲーム機用の景品払出し装置を提供することにある。
【０００４】
【課題を解決するための手段】
上記の目的は、景品を載せるトレイが略鉛直な平面内に上下左右方向に多数配列され、各トレイは景品払出し時にその前側が低くなるよう傾動可能なように取り付けられたトレイ配列架台と、
トレイ配列架台の背後に上下左右前後方向に移動可能なよう設けられ、景品払出し時には、払い出すべき景品を載せた特定のトレイの背後から前方へ進出して当該トレイの後部を押し上げることによりトレイの前側が低くなるようトレイを傾動せしめるトレイ押圧子と、
を備えたことを特徴とする景品払出し装置によって達成できる。
【０００５】
望ましい実施例においては、上記トレイ押圧子を上下左右前後方向に移動させる装置が、
左右方向へ掛け渡された第１ロッドと、
当該第１ロッドを上下方向へ平行移動せしめる機構と、
第１ロッド上で左右方向へ移動するスライドユニットと、
当該スライドユニットに前後方向へ向けて取り付けられ、かつ、前後方向へ移動せしめられる第２ロッドと、
上記スライドユニット上に備えられ、スライドユニットを第１ロッド上で左右方向へ移動せしめる駆動機構、及び、第２ロッドを前後方向へ移動せしめる駆動機構と、から構成され、
トレイ押圧子が第２ロッドの前端に取り付けられたことを特徴とする。
【０００６】
また、トレイ押圧子が、景品払出し後に、前側に傾いたトレイの後部を下方向へ押してトレイを元の状態へ復帰させるトレイ復元爪と、その駆動機構を備えるよう構成することも推奨される。
【０００７】
【発明の実施の形態】
以下、図面を参照しつゝ本発明を具体的に説明する。
図１は、本発明に係る景品払出し装置を備えたゲーム機の一実施例を示す外観斜視図、図２は、本発明に係る景品払出し装置の一実施例の概要説明図、図３は、本発明に係る景品払出し装置のトレイ押圧子の作動を示す説明図である。
なお、以下の説明及び図面中において、左右方向をＸ軸方向、上下方向をＹ軸方向、前後方向をＺ軸方向とする。また、景品払出し装置のプレイヤーに近い側を「前」とする。
【０００８】
図１中、１はゲーム機本体であり、これに、本発明に係る景品払出し装置２が備えられている。
１１はゲーム機１の機台、１２は操作パネル、１３は料金投入孔、１４は景品投下穴、１５は景品取出口、１６は操作ボタン、１７はゲーム表示画面である。
【０００９】
本発明に係る景品払出し装置２は、図１に示すように、景品Ａ〜Ｆを載せるトレイ２１，２１が略鉛直な平面内に上下左右方向に多数配列され、各トレイは景品払出し時にその前側が低くなるよう傾動可能なように取り付けられたトレイ配列架台２２と、トレイ配列架台２２の背後に設けられ、上下（Ｘ軸）、左右（Ｙ軸）、前後（Ｚ軸）の各方向に移動可能なよう構成されたトレイ押圧子２３とから構成されている。
景品払出し時には、図３（ａ）に示すように、トレイ押圧子２３が、払い出すべき景品（例えば景品Ａ）を載せた特定のトレイ２１の背後へ移動し、さらにこれがトレイ２１へ向けて前方へ進出して当該トレイ２１の後部を押し上げることによりトレイ２１の前側が低くなるようトレイを傾動せしめ、これにより、トレイ２１上に載せられた景品Ａをトレイから放出させるようになっている。
トレイ２１から放出された景品は、景品投下穴１４中へ落下するので、プレイヤーはこれを景品取出口１５から取り出すことができる。
【００１０】
而して、本発明の望ましい実施例においては、トレイ押圧子２３をＸ，Ｙ，Ｚ軸方向に移動させる装置は、図２に示すように、Ｘ軸方向へ掛け渡された第１ロッド２４と、当該第１ロッド２４をＹ軸方向へ平行移動せしめる機構２５ａ及び２５ｂと、第１ロッド２４上でＸ軸方向へ移動するスライドユニット２６と、当該スライドユニット２６にＺ軸方向へ向けて取り付けられ、かつ、Ｚ軸方向へ移動せしめられる第２ロッド２７と、上記スライドユニット２６上に備えられ、スライドユニット２６を第１ロッド２４上で左右方向へ移動せしめる駆動機構（図では省略）、及び、第２ロッド２７を前後方向へ移動せしめる駆動機構（図では省略）と、から構成され、上記第２ロッド２７の前端にトレイ押圧子２３が取り付けられるものである。
【００１１】
また、本発明の望ましい実施例においては、トレイ押圧子２３が、回動可能なトレイ復元爪２８を備え、景品払出し後に、このトレイ復元爪２８が、図３（ｂ）に示すように、前側に傾いたトレイ２１の後部を下方向へ押しながらトレイ押圧子２３が後退することによって、トレイを元の状態へ復帰させるように構成されるものである。
【００１２】
なお、トレイ２１に載せる景品が軽い場合には、トレイをスプリング力によって自動的に復帰させるようにしてもよい。
ただ、デモンストレーション効果を考慮した場合、上記実施例のトレイ復元爪２８を人間の手先の形にしたものを用い、人間の手でトレイを押し出したり、引き戻したりするように見せることが推奨される。
【００１３】
また、ゲーム内容によっては、トレイ押圧子２３をゆっくりと押し出すことにより景品トレイ２１を徐々に傾けるようにし、これにより、景品がもう少しでもらえるという感覚を出すことができ、景品が放出される手前でトレイ押圧子２３を引っ込ませることも可能である。
【００１４】
【発明の効果】
本発明は以上の如く構成されるから、本発明によるときは、多数のトレイを一つのトレイ押圧子で傾動させ、景品を払い出すことができるので、設計コストの安い景品払出し装置を提供できるものである。
なお、本発明は上記実施例に限定されるものでなく、その目的の範囲内において上記の説明から当業者が容易に想到し得るすべての変更実施例を包摂するものである。
【図面の簡単な説明】
【図１】本発明に係る景品払出し装置を備えたゲーム機の一実施例を示す外観斜視図である。
【図２】本発明に係る景品払出し装置の一実施例の概要説明図である。
【図３】本発明に係る景品払出し装置のトレイ押圧子の作動を示す説明図である。
【符号の説明】
１      ゲーム機
１１    ゲーム機の機台
１２    操作パネル
１３    料金投入口
１４    景品投下穴
１５    景品取出口
１６    操作ボタン
１７    ゲーム表示画面
２      景品払出し装置
２１    トレイ
２２    トレイ配列架台
２３    トレイ押圧子
２４    第１ロッド
２５ａ，２５ｂ  第１ロッド移動機構
２６    スライドユニット
２７    第２ロッド
２８    トレイ復元爪
【図１】
0003856278.tif 000002
【図２】
0003856278.tif 000003
【図３】
0003856278.tif 000004